(57)【特許請求の範囲】
【請求項１】
耳朶を前側に屈曲させて該耳朶の裏面側を支承する支承面を有した支承体と、該支承体を頭部に保持する保持手段と、上記支承体の支承面の持ち上げ方向の位置を調整可能な位置調整手段とを備えた耳朶持ち上げ具において、
上記位置調整手段を、回動により位置調整を可能にする回動機構を備えて構成したことを特徴とする耳朶持ち上げ具。
【請求項２】
上記支承体を所要の回動位置に停止させる停止手段を備えて構成したことを特徴とする請求項１記載の耳朶持ち上げ具。
【請求項３】
上記回動機構は、軸及び軸受を有したヒンジ機構，ボール及びボール受を有したユニバーサルジョイント機構の少なくともいずれかで構成されることを特徴とする請求項２記載の耳朶持ち上げ具。
【請求項４】
上記停止手段を、上記ヒンジ機構及び／またはユニバーサルジョイント機構に係る部材において、摩擦力により停止可能にして構成したことを特徴とする請求項３記載の耳朶持ち上げ具。
【請求項５】
上記保持手段に、上記支承体を支持する支持部を設け、該支持部に上記支承体を上記回動機構を介して回動可能に支持したことを特徴とする請求項３または４記載の耳朶持ち上げ具。
【請求項６】
上記支承体を、上記保持手段に対して着脱可能にしたことを特徴とする請求項５記載の耳朶持ち上げ具。
【発明の詳細な説明】
【技術分野】
【０００１】
本発明は、耳朶を持ち上げて上向きに矯正して美顔にする耳朶持ち上げ具に関する。
【背景技術】
【０００２】
従来、この種の耳朶持ち上げ具として、特許文献１（特許第４３３８１０３号公報）に記載され、先に、本願出願人が提案したものが知られている。図１１に示すように、この耳朶持ち上げ具Ｍａは、頭部にある耳Ｅの耳朶Ｌを持ち上げるもので、耳朶Ｌを前側に屈曲させて耳朶Ｌの裏面側を支承する支承面２を有した支承体１と、この支承体１を頭部に保持する保持手段１０とを備えてなる。支承体１は、左右の耳Ｅに対応して一対設けられており、耳Ｅの下側に位置させられ支承面２を有した本体部３と、耳Ｅの後側に位置させられ本体部３の後端に一体に立ち上がり形成される後側部４とを備えたブロック状に形成されている。保持手段１０は、両端に夫々支承体１が取り付けられ頭部の上側に掛け渡されて支承体１を保持する帯状のヘッドバンド１１で構成されている。また、この耳朶持ち上げ具Ｍａは、支承体１の持ち上げ方向の位置を調整可能な位置調整手段１２を備えている。位置調整手段１２は、ヘッドバンド１１の端部に固定された扁平の棒状でクランク状のスライダ１２ａと、支承体１の後側部４の先端から上下方向に形成されスライダ１２ａが摺動し摩擦力により停止可能なスライド孔１２ｂとから構成されている。
【０００３】
そして、この耳朶持ち上げ具Ｍａを用いるときは、保持手段１０のヘッドバンド１１を頭部に掛け、位置調整手段１２のスライダ１２ｂに対して支承体１を上下動させてその持ち上げ方向の位置を適宜に調整し、支承体１の支承面２により耳朶Ｌが前側に屈曲させられて耳朶Ｌの裏面側が支承されるようにする。これを習慣的に行うと、耳朶Ｌが持ち上がる癖がつき、上向きに矯正されるようになり、耳朶Ｌの格好が良くなり、美顔にすることができるようになる。また、位置調整手段１２により支承体１の持ち上げ方向の位置を調整できるので、耳朶Ｌを折り曲げる程度を可変でき、耳朶Ｌの条件等に応じた矯正を行うことができるようになる。
【先行技術文献】
【特許文献】
【０００４】
【特許文献１】特許第４３３８１０３号公報
【発明の概要】
【発明が解決しようとする課題】
【０００５】
ところで、この従来の耳朶持ち上げ具Ｍａにおいては、位置調整手段１２は、ヘッドバンド１１の端部のスライダ１２ａと、支承体１のスライド孔１２ｂとから構成され、支承体１を上下動させてその持ち上げ方向の位置を適宜に調整するようにしているが、上下動なので、大きく動き過ぎることがあって、微妙な調整が比較的やりにくくなっている。
本発明は上記の点に鑑みて為されたもので、位置調整手段の微妙な調整をし易くし、操作性の向上を図った耳朶持ち上げ具を提供することを目的とする。
【課題を解決するための手段】
【０００６】
このような目的を達成するための本発明の耳朶持ち上げ具は、耳朶を前側に屈曲させて該耳朶の裏面側を支承する支承面を有した支承体と、該支承体を頭部に保持する保持手段と、上記支承体の支承面の持ち上げ方向の位置を調整可能な位置調整手段とを備えた耳朶持ち上げ具において、上記位置調整手段を、回動により位置調整を可能にする回動機構を備えて構成している。
回動機構は、保持手段と支承体との間に設け、支承体に設け、あるいは、保持手段に設けることができ、適宜選択してよい。
【０００７】
これにより、保持手段により支承体を頭部に保持すると、支承体により耳朶が前側に屈曲させられて耳朶の裏面側が支承される。この状態を、習慣的に行うようにすると、耳朶が持ち上がる癖がつき、上向きに矯正されるようになり、また、自然に顔の輪郭の弛みの低減にも寄与する。そのため、耳朶の格好が良くなり、特に、顔を正面から見た場合に、丸い耳の先端である耳朶が少し上がり気味になって見えると、肉厚に見え、このような耳朶が頭髪の間等から見えると美しく感じるようになり、美顔にすることができるようになる。アクセサリーとして用いても良い。
【０００８】
この使用に際しては、位置調整手段の回動機構を回動して支承体の支承面の持ち上げ方向の位置を調整することができる。この場合、回動機構の回動によることから、回動中心から支承体の支承面までの距離にもよるが、微妙な調整をし易くすることができ、操作性が向上させられる。また、この支承体の支承面の持ち上げ方向の位置調整により、耳朶を折り曲げる程度を可変できるので、耳朶の条件等に応じた矯正を行うことができるようになる。
【０００９】
そして、必要に応じ、上記支承体を所要の回動位置に停止させる停止手段を備えて構成している。停止手段により位置決め停止できるので、支承体の支承面を移動しないように固定して使用することができ、支承を安定させることができる。
【００１０】
また、必要に応じ、上記回動機構は、軸及び軸受を有したヒンジ機構，ボール及びボール受を有したユニバーサルジョイント機構の少なくともいずれかで構成している。ヒンジ機構及び／またはユニバーサルジョイント機構は、複数設けて良い。また、これらを設ける位置も、保持手段と支承体との間に設け、支承体に設け、あるいは、保持手段に設けることができ、適宜選択してよい。簡易な機構なので、組付けが容易になるとともに、微調整が容易になり、操作性が向上させられる。
【００１１】
この場合、上記停止手段を、上記ヒンジ機構及び／またはユニバーサルジョイント機構に係る部材において、摩擦力により停止可能にして構成したことが有効である。特別に停止機構を設けなくても良いので、構造が簡易になる。
【００１２】
また、必要に応じ、上記保持手段に、上記支承体を支持する支持部を設け、該支持部に上記支承体を上記回動機構を介して回動可能に支持した構成としている。支承体を回動させるので、操作が容易であり、操作性をより一層向上させることができる。
【００１３】
更に、必要に応じ、上記支承体を、上記保持手段に対して着脱可能にした構成としている。保持手段として、例えば、頭部に装着するヘッドホン，耳かけ，眼鏡等、種々のものを適用できるようになり、汎用性が増し、便利になる。
【発明の効果】
【００１４】
本発明の耳朶持ち上げ具によれば、支承体により耳朶を前側に屈曲させて支承するようにすると、耳朶が持ち上がる癖がつき、上向きに矯正することができるようになり、そのため、耳朶の格好を良くすることができる。特に、顔を正面から見た場合に、丸い耳の先端である耳朶が少し上がり気味になって見えると、肉厚に見え、このような耳朶が頭髪の間等から見えると美しく感じるようになり、美顔にすることができるようになる。
そして、この使用に際しては、位置調整手段の回動機構を回動して支承体の支承面の持ち上げ方向の位置を調整することができる。この場合、回動機構の回動によることから、回動中心から支承体の支承面までの距離にもよるが、微妙な調整をし易くすることができ、操作性を向上させることができる。また、この支承体の支承面の持ち上げ方向の位置調整により、耳朶を折り曲げる程度を可変できるので、耳朶の条件等に応じた矯正を行うことができるようになる。
【図面の簡単な説明】
【００１５】
【図１】本発明の実施の形態に係る耳朶持ち上げ具をその使用状態とともに示し、（ａ）は側面図、（ｂ）は正面図である。
【図２】本発明の実施の形態に係る耳朶持ち上げ具を示す斜視図である。
【図３】本発明の実施の形態に係る耳朶持ち上げ具の支承体及び第二位置調整手段を示す要部図であり、（ａ）は側面図、（ｂ）は正面断面図である。
【図４】本発明の実施の形態に係る耳朶持ち上げ具の第一位置調整手段を示す要部正面断面図である。
【図５】本発明の実施の形態に係る耳朶持ち上げ具の第二位置調整手段の別の例を示す側面図である。
【図６】本発明の別の実施の形態に係る耳朶持ち上げ具を示す側面図である。
【図７】本発明のまた別の実施の形態に係る耳朶持ち上げ具を示す要部側面図である。
【図８】本発明の第二位置調整手段の別の取付け例を示す要部側面図である。
【図９】本発明の停止手段の別の例を示す要部正面断面図である。
【図１０】本発明の他の実施の形態に係る耳朶持ち上げ具を示す側面図である。
【図１１】従来の耳朶持ち上げ具を示す側面図である。
【発明を実施するための形態】
【００１６】
以下、添付図面に基づいて、本発明の実施の形態に係る耳朶持ち上げ具について詳細に説明する。
図１乃至図４に示すように、本発明の実施の形態に係る耳朶持ち上げ具Ｍは、頭部Ｈにある耳Ｅの耳朶Ｌを持ち上げるもので、その基本的構成は、耳朶Ｌを前側に屈曲させて耳朶Ｌの裏面側を支承する支承面２を有した支承体１と、この支承体１を頭部Ｈに保持する保持手段１０と、支承体１の支承面２の持ち上げ方向の位置を調整可能な第一位置調整手段２０，第二位置調整手段３０とを備えてなる。
【００１７】
詳しくは、支承体１は、頭部Ｈの両側に位置する一対の耳Ｅに夫々対応して一対設けられている。一対の支承体１は、互いに対称に形成されている。支承体１は、耳Ｅの下側に位置させられ支承面２を有した本体部３と、耳Ｅの後側に位置させられ本体部３の後端に一体に立ち上がり形成される後側部４とを備えたブロック状に形成され、謂わば、ゴルフのアイアンのヘッドのような形状に形成されている。
支承体１は、樹脂で構成され、樹脂板からなる表面部材１ａと、ＥＶＡ樹脂（エチレン−酢酸ビニール共重合樹脂）のスポンジ等、樹脂製の柔らかい部材からなり、皮膚に接する内側部材１ｂとから構成されている。
【００１８】
保持手段１０は、一対の支承体１を同時に保持する構成にしている。詳しくは、保持手段１０は、両端に夫々支持部１２を介して支承体１が取り付けられ頭部Ｈの上側に掛け渡されて支承体１を保持する帯状のヘッドバンド１１を備えて構成されている。
ヘッドバンド１１は、例えば、可撓性で弾性のある樹脂あるいは金属製で形成され、必要に応じ、樹脂シート，布あるいは皮革などのカバー（図示せず）で被覆してある。ヘッドバンド１１は、頭頂部に対応する頂部バンド１３と、頂部バンド１３の左右に夫々第一位置調整手段２０を介して連結される一対の側部バンド１４とから構成されている。側部バンド１４には、後述の側方位置調整手段４０を介して支持部材１２が連結されている。
支持部１２は、樹脂で構成され、樹脂板からなる表面部材１２ａと、ＥＶＡ樹脂（エチレン−酢酸ビニール共重合樹脂）のスポンジ等、樹脂製の柔らかい部材からなり、皮膚に接する内側部材１２ｂとから構成されている。
【００１９】
第一位置調整手段２０は、図２及び図４に示すように、ヘッドバンド１１の左右に設けられ、頂部バンド１３と側部バンド１４との間に設けられている。第一位置調整手段２０は、頂部バンド１３の端部から延設された扁平で棒状のスライダ２１と、側部バンド１４の頂部バンド１３側に設けられスライダ２１が伸縮可能に挿入されるスライド孔２２とから構成されている。また、スライド孔２２を構成する壁部の一部は、内外に向けて撓み可能な舌片２３が切欠き形成されており、この舌片２３の内側先端には係合突起２４が設けられている。一方、この係合突起２４に面するスライダ２１の一方の面には係合突起２４が係合する係合凹部２５が長手方向に沿って列設されている。そして、舌片２３を外側に撓ませることにより係合突起２４と係合凹部２５の係合を解除してスライダ２１の伸縮を許容し、舌片２３の内側への撓みにより係合突起２４を係合凹部２５に係合させて、スライダ２１のスライド孔２２に対する適宜の伸縮位置で位置決め可能にしている。この第一位置調整手段２０の位置調整により、支承体１の支承面２の持ち上げ方向の位置を概略に調整可能にしている。
【００２０】
第二位置調整手段３０は、図３に示すように、支承体１を回動させて、この回動により支承体１の支承面２の持ち上げ方向の位置調整を可能にする回動機構としてのヒンジ機構３１を備えて構成されている。このヒンジ機構３１は、軸３２及び軸受３３を有して構成され、保持手段１０の支持部１２と支承体１の後側部４との間に設けられている。支持部１２の外側部材１２ａの延設部１５が、支承体１の後側部４における外側部材１ａの上側部５に重畳させられており、この重畳した延設部１５及び上側部５に、これらを貫通する軸受３３が形成されている。軸受３３には軸３２が挿通されている。軸３２の両端部には、かしめられて大径に形成された一対の大径部３４が形成され、この一対の大径部３４が重畳した延設部１５及び上側部５を挾持している。
【００２１】
この第二位置調整手段３０においては、支承体１を所要の回動位置に停止させる停止手段３５を備えて構成されている。停止手段３５は、ヒンジ機構３１に係る部材において、摩擦力により停止可能にして構成されている。実施の形態では、軸３２及び軸受３３間に摩擦抵抗を付与するとともに、一対の大径部３４の挾持により重畳した延設部１５及び上側部５間に摩擦抵抗を付与し、支承体１を所要の回動位置に停止できるようにしている。
【００２２】
また、実施の形態では、支承体１の左右方向の位置調整を行う側方位置調整手段４０を備えている。この側方位置調整手段４０は、図２及び図３に示すように、保持手段１０の側部バンド１４の下端部に対して支持部材１２の上端部を回動させて調整を行うものである。側方位置調整手段４０は、上記ヒンジ機構３１の軸３２の軸線と直交する方向の軸線を有した軸４１と軸受４２とから構成されている。支持部材１２の上端部には軸４１が挿通される軸受４２が一体形成されており、側部バンド１４の下端には軸受４２の両側に突出し軸受４２に挿通された軸４１を架設支持する支持体４３が設けられ、この支持体４３に軸４１が固定されている。軸４１と軸受４２とは摩擦的に係合しており、この摩擦力により支持部材１２を所要の回動位置に停止できるようにしている。
【００２３】
従って、この実施の形態に係る耳朶持ち上げ具Ｍを用いるときは、保持手段１０のヘッドバンド１１を頭部Ｈに掛け、先ず、第一位置調整手段２０において、頂部バンド１３のスライダ２１を側部バンド１４のスライド孔２２に対して伸縮させて、ヘッドバンド１１の長さ調整をし、これにより、支承体１を上下動させて、その持ち上げ方向の位置を、概略に調整しておく。次に、第二位置調整手段３０の回動機構としてのヒンジ機構３１において、支承体１を回動して支承体１の支承面２の持ち上げ方向の位置を調整する。この場合、回動機構としてのヒンジ機構３１の回動によることから、軸３２の回動中心から支承体１の支承面２までの距離にもよるが、第一位置調整手段２０による概略の位置調整に比較して、微妙な調整をすることができる。そのため、微調整し易くすることができ、操作性が向上させられる。また、側方位置調整手段４０によって、保持手段１０の側部バンド１４の下端部に対して支持部材１２の上端部を回動させて、支承体１の左右方向の位置調整を行う。
【００２４】
これにより、支承体１の支承面２により耳朶Ｌが前側に屈曲させられて耳朶Ｌの裏面側が支承されるようになる。この場合、保持手段１０は、ヘッドバンド１１で構成されているので、耳掛けやヘッドホンを装着するように、容易に頭部Ｈに装着することができるようになる。また、第一位置調整手段２０により、支承体１の支承面２の持ち上げ方向の位置調整ができ、とりわけ、第二位置調整手段３０により、支承体１の支承面２の持ち上げ方向の位置を微調整できるので、耳朶Ｌを折り曲げる程度を適宜に可変でき、耳朶Ｌの条件等に応じた矯正を行うことができるようになる。また、側方位置調整手段４０によって、支承体１の左右方向の位置調整も行うことができるので、フィット感を極めて良いものにすることができる。
【００２５】
そして、この状態を、習慣的に行うようにすると、耳朶Ｌが持ち上がる癖がつき、上向きに矯正されるようになる。そのため、耳朶Ｌの格好が良くなり、特に、顔を正面から見た場合に、丸い耳Ｅの先端である耳朶Ｌが少し上がり気味になって見えると、肉厚に見え、このような耳朶Ｌが頭髪の間等から見えると美しく感じるようになり、美顔にすることができるようになる。この場合、一対の支承体１を保持手段１０で同時に保持しているので、両方の耳Ｅを同時に矯正できることから、バランスよく耳Ｅの格好を整えることができる。
【００２６】
この耳朶持ち上げ具Ｍの使用中においては、支承体１はブロック状なので、頭部Ｈに対する保持が安定し、ぐらつくことが抑止されて、確実に、耳朶Ｌを前側に屈曲させて耳朶Ｌの裏面側を支承することができる。特に、本体部３の後端に一体に立ち上がり形成される後側部４が耳Ｅの後側に位置させられているので、耳Ｅがこの後側部４を覆い被さって押さえることから、より一層保持が安定する。
【００２７】
また、耳Ｅの周囲は、頭蓋骨の起伏により凸凹して出っ張った部分があるが、支承体１の内側部材１ａや支持部材１２の内側部材１２ｂは、ＥＶＡ樹脂（エチレン−酢酸ビニール共重合樹脂）のスポンジ等、樹脂製の柔らかい部材からなるので、支承体１が皮膚に良くフィットし、肌触りも良く、頭部Ｈに対する保持が安定する。
【００２８】
図５には、第二位置調整手段３０の別の例を示している。この位置調整手段３０は、支承体１を回動させて、この回動により支承体１の支承面２の持ち上げ方向の位置調整を可能にする回動機構としてのユニバーサルジョイント機構５０を備えて構成されている。このユニバーサルジョイント機構５０は、ボール５１及びボール受５２を有して構成され、保持手段１０の支持部１２と支承体１の後側部４との間に設けられている。停止手段３５は、ユニバーサルジョイント機構５０に係る部材において、摩擦力により停止可能にして構成されている。実施の形態では、ボール５１及びボール受５２間には、摩擦抵抗が付与され、支承体１を所要の回動位置に停止できるようにしている。
【００２９】
従って、このユニバーサルジョイント機構５０によっても、支承体１の持ち上げ方向の位置を微調整できるので、耳朶Ｌを折り曲げる程度を適宜可変でき、耳朶Ｌの条件等に応じた矯正を行うことができるようになる。また、このユニバーサルジョイント機構５０を用いれば、支承体１の左右方向の位置調整も行うことができるので、フィット感を極めて良いものにすることができる。そのため、上記の側方位置調整手段４０は不要になる。
【００３０】
図６には、別の実施の形態に係る耳朶持ち上げ具Ｍを示している。これは、一対の耳Ｅに対して、夫々、独立して装着できるようにしたものであり、耳朶Ｌを前側に屈曲させて耳朶Ｌの裏面側を支承する支承面２を有した支承体１と、支承体１を頭部Ｈに保持する保持手段１０とを備え、この保持手段１０は、一端に支承体１の後側端が取り付けられ他端側が耳Ｅに掛けられる金属製の線材や樹脂製線材で形成されたフック部材６０で構成されている。フック部材６０と支承体１との間には、位置調整手段である回動機構としての上記と同様のユニバーサルジョイント機構５０が設けられている。これによれば、フック部材６０を耳Ｅに掛けるだけで支承体１を装着でき、しかも、一対の耳Ｅに対して、独立して支承体１を装着することができ、容易に頭部Ｈに装着することができるようになるとともに、保持も確実にすることができる。アクセサリーとして用いても良い。
【００３１】
図７には、また別の実施の形態に係る耳朶持ち上げ具Ｍを示している。これは、支承体１を、保持手段１０に対して着脱可能にした構成としている。保持手段１０として、例えば、頭部に装着する眼鏡７０にしている。支承体１には、眼鏡７０の柄７１の後端部に差し込まれて保持される、ゴムなどの弾性の袋状の取付部７２が設けられており、この取付部７２を眼鏡７０の柄７１に取り付けることにより装着される。取付部７２の基端部７３は硬質になっており、この基端部７３と支承体１との間に上記と同様のユニバーサルジョイント機構５０が設けられている。これによれば、支承体１を眼鏡７０に取り付けることができ、汎用性が増す。取付部７２の構成は、上述したものに限定されない。尚、保持手段１０としては、眼鏡７０に限らず、頭部に装着するヘッドホン，イヤホン，耳かけ等、種々のものを適用できる。アクセサリーとして用いても良い。
【００３２】
尚、上記実施の形態において、回動機構としてのヒンジ機構３１やユニバーサルジョイント機構５０は、保持手段１０の支持部１２と支承体１の後側部４との間に設けたが、必ずしもこれに限定されるものではなく、例えば、図８に示すように、支承体１内に設けても良い。また、保持手段１０内に設けても良い、例えば、側方位置調整手段４０のあるところに、これに変えて設けるようにしても良く、適宜変更して差し支えない。また、回動機構としてのヒンジ機構３１やユニバーサルジョイント機構５０は、複数個所に設けて良い。
【００３３】
尚また、上記実施の形態において、停止手段３５を、ヒンジ機構３１やユニバーサルジョイント機構５０に係る部材において、摩擦力により停止可能にして構成したが、必ずしもこれに限定されるものではなく、図９に示すように、例えば、ヒンジ機構３１において、軸３２に、停止手段としての蝶ボルト３６を締め付けることができるようにして、この蝶ボルト３６の締め付け力により、停止させるようにしても良く、適宜変更して差し支えない。
【００３４】
また、停止手段３５を設けることなく、例えば、図１０に示すように、保持手段１０の支持部１２と支承体１の後側部４との間に、ヒンジ機構３１やユニバーサルジョイント機構５０を設け、支持部１２と支承体１の後側部４との間に、支承体１を持ち上げ方向に付勢する付勢手段としての板バネ８０を架設して、持ち上げ力を常時付与するようにしても良く、適宜変更して差し支えない。付勢手段は板バネ８０に限らず、支承体１の支承面２を持ち上げ方向に付勢するものであればどのようなものでも良い。
【００３５】
更に、ヘッドバンド１１は、折り畳みできるように構成すれば、非使用時に、コンパクトにすることができる。
更にまた、上記実施の形態において、支承体１を、樹脂で構成したが、必ずしもこれに限定されるものではなく、例えば、木製の例えば桐材で構成し、あるいは、金属で形成するなど、適宜変更して差支えない。また、上記実施の形態において、支承体１に必ずしも後側部４を設けなくてもよい。更にまた、保持手段１０の構成も上述したものに限定されるものではなく、適宜変更して良いことは勿論である。
【符号の説明】
【００３６】
Ｍ  耳朶持ち上げ具
Ｈ  頭部
Ｅ  耳
Ｌ  耳朶
１  支承体
１ａ  表面部材
１ｂ  内側部材
２  支承面
３  本体部
４  後側部
５  上側部
１０  保持手段
１１  ヘッドバンド
１２  支持部
１２ａ  表面部材
１２ｂ  内側部材
１３  頂部バンド
１４  側部バンド
１５  延設部
２０  第一位置調整手段
２１  スライダ
２２  スライド孔
２３  舌片
２４  係合突起
２５  係合凹部
３０  第二位置調整手段
３１  ヒンジ機構（回動機構）
３２  軸
３３  軸受
３４  大径部
３５  停止手段
３６  蝶ボルト
４０  側方位置調整手段
４１  軸
４２  軸受
４３  支持体
５０  ユニバーサルジョイント機構（回動機構）
５１  ボール
５２  ボール受
６０  フック部材（保持手段）
７０  眼鏡（保持手段）
７１  柄
８０  板バネ
【図１】
0005466196.tif 000002
【図２】
0005466196.tif 000003
【図３】
0005466196.tif 000004
【図４】
0005466196.tif 000005
【図５】
0005466196.tif 000006
【図６】
0005466196.tif 000007
【図７】
0005466196.tif 000008
【図８】
0005466196.tif 000009
【図９】
0005466196.tif 000010
【図１０】
0005466196.tif 000011
【図１１】
0005466196.tif 000012